(57)【要約】【課題】自動車修理点検時に道具類の収容、取り出し容易な自動車点検修理道具収容ケース。【解決手段】長方形の本体10、その上部に第一の積載部11、中央部に第二積載部12、下部に第三積載部13を具有し、第一積載部11は、本体10の上部に台111を設け、台の上に等間隔に立てた数本の棒112によって構成されて筒状物を支持し、第二積載部(12)は、本体10に垂直に設置したリング状の構造であって圧力機器を固定し、第三積載部13は本体10の末端にU字型に構成されて、ダブルオフセットレンチを収容する。本体背部の台座２１内に磁性ブロック２３を嵌合し、その外周に滑り止めリング２２を設けて、ジャッキなどに吸着固定する。【選択図】  図2
0003127283.tif 000002
【実用新案登録請求の範囲】
【請求項１】
修理道具を収容する積載部を設けた本体、及び該本体を磁性支持面に吸着固定するための１以上の磁力台からなり、
該磁力台は、台座、磁性ブロック、滑り止めリングから構成され、
該台座は、中央をくり抜いて磁性ブロックを収納する凹部を形成すると共に本体と一体化してその背面より突出して設けられ、
該台座の凹部内に磁性ブロックを設置し、磁性ブロックによって形成する吸着面を台座の端よりやや突出して配置し、磁性ブロックの外周に滑り止めリングを設置して、該滑り止めリングによって形成する滑り止め面は磁性ブロックの吸着面よりやや突出するように配置した、
ことを特徴とする吸着式自動車点検修理道具ケース。
【請求項２】
前記台座内に等間隔に棒を設け、該棒と滑り止めリングとを固定して設けたことを特徴とする請求項１記載の吸着式自動車点検修理道具収容ケース。
【請求項３】
前記本体の上部に第一積載部、中間部に第二積載部、下部に第三積載部を設置したことを特徴とする請求項１記載の吸着式自動車点検修理道具収容ケース。
【請求項４】
前記第一積載部は、本体上部に水平に延伸する台及び、台上に等間隔に縦方向に設置された棒によって構成したことを特徴とする請求項3記載の吸着式自動車点検修理道具収容ケース。
【請求項５】
前記第二積載部は、本体正面の外側に水平に設置されたリング状構造に形成したことを特徴とする請求項3記載の吸着式自動車点検修理道具収容ケース。
【請求項６】
前記第三積載部は、本体の下部にU字型構造に構成したことを特徴とする請求項３記載の吸着式自動車点検修理道具収容ケース。
【請求項７】
前記磁性ブロックは、リング状を成すことを特徴とする請求項１記載の吸着式自動車点検修理道具収容ケース。
【請求項８】
前記台座は、同心円の第一凹部と、内直径が第一凹部より大きい第二凹部を設置し、該第一凹部の内側と対応してリング状の磁性ブロックを設置し、第二凹部と対応して滑り止めリングを設置したことを特徴とする請求項１記載の吸着式自動車点検修理道具収容ケース。
【考案の詳細な説明】
【技術分野】
【０００１】
本考案は、吸着式自動車点検修理の道具ケースの構造に関し、特に該道具ケースは確実に固定されるものであり、自動車を点検修理する作業中でも、道具を収納できるケースの構造に関する。
【背景技術】
【０００２】
自動車は、現代の人にとって、欠かすことのできない普遍的な交通手段の一つであるが、自動車は定期的に点検修理する必要がある。点検修理をする過程で、殆どがジャッキを使用し、車を持ち上げた状態で便利で適切なスペースを確保した状態で車を点検修理するが、点検修理は一つの道具のみで行えるものではない。
【０００３】
点検修理に必要な道具は全て一つの道具車或は道具箱に収納されているため、固定タイプの道具車、或は展開式の道具箱のいずれにしても、特にスペースの限られた自動車の下方及びジャッキによって開けられたスペースでは、一度に全ての道具をユーザーの前に並べることができない。よって、ユーザーは常に道具車や道具箱にある道具を全て出し、必要なものを適時にセレクトして使用するが、作業場所が乱雑になるだけでなく、多くのスペースを占領することになる。更に使用後一つずつ道具を道具箱や道具車の中に収納せねばならず、明らかに便利性に欠ける。上述の不便な状況を鑑みて、公知技術を改善する必要があった。
【特許文献１】特開平１−２６４７８１号公報
【考案の開示】
【考案が解決しようとする課題】
【０００４】
本考案の目的は、独特な滑り止め技術を具有することで、確実に定位置に固定することができる吸着式の自動車点検修理の道具ケースの構造を提供することにある。
【課題を解決するための手段】
【０００５】
上述の目的を解決するために本考案が提供する道具ケースは、点検修理道具を置ける場所を設けた本体及び、台座、磁性ブロック、滑り止めリングによって組立てられた磁力台が少なくとも一つあり、該台座は本体と一体化した背面より突出し、台座の内側にリング状の磁性ブロックを設置し、該磁性ブロックによって形成する吸着面は台座の端よりやや突出し、リング状磁性ブロックの外周に該吸着面よりやや突出した滑り止めリングを設置してある。
【考案の効果】
【０００６】
本考案の道具ケースは、強力な磁力を持つ磁性ブロックの内側と外側にそれぞれ滑り止めリングを設け、磁性ブロックの吸着面がジャッキの立柱に吸着しても、該滑り止めリングは同時にしっかりとジャッキの立柱に張り付くことができ、立柱との接触表面の摩擦抵抗力を上げることで、道具ケースの滑り止めの機能を有効的に上げ、定置にしっかりと吸着して動かない道具ケースの構造を提供する。
【考案を実施するための最良の形態】
【０００７】
本考案による吸着式自動車修理道具ケースの構造を明確に示すために図に沿って詳細な説明を行う。図1及び図3が示すのは、長方形の本体(10)、その上部に第一の積載部(11)、中央部に第二積載部(12)、下部に第三積載部(13)を具有する。第一積載部(11)は本体(10)の上部に台(111)を設け、台の上に等間隔に立てた数本の棒(112)によって構成されている。第二積載部(12)は、本体(10)に垂直に設置したリング状の構成であり、第三積載部(13)は本体(10)の末端にU字型のもので構成してある。
【０００８】
図2及び図4が示すのは、磁力台(2０)は、等間隔に本体(10)の背面に設置される。該磁力台(20)は、台座(21)、磁性ブロック(23)、滑り止めリング(22)を含み、該台座(21)は中央をくり抜いだもので、本体(10)と一体化して背面より突出して設置してある。該台座(21)と同心円の第一凹部(211)、内直径が第一凹部(211)より大きい第二凹部(212)を形成し、該第一凹部(211)に強い磁力を具有するリング状の磁性ブロック(23)を嵌めこみ、該磁性ブロック(23)によって形成する吸着面は、台座(21)の端よりやや突出し、及び第二凹部(212)に等間隔で台座(21)の底面に垂直に設置した8本の棒(213)、該棒に固定して設置している滑り止めリング(22)、同時に該滑り止めリング(22)が形成する滑り止めの面は磁性ブロック(23)の吸着面よりやや突出しているため、磁性ブロック(23)の吸着面がジャッキの立柱に吸着する際、棒(213)との固定により、該滑り止めリング(22)の滑り止め面がしっかりと該立柱に密着するため、立柱(40)と接触する表面との摩擦抵抗力を上げることで、道具ケースの滑り止めの目的を達成する。
【０００９】
図4及び図5が示すのは、本考案の道具ケースは磁力台(20)を使い、ジャッキの立柱(30)に固定させ、筒(40)を第一積載部(11)の棒(112)にかぶせ、第二積載部(12)は空気圧によって作動する道具(50)を置くことで、ユーザーは手軽に該道具(50)を取ることができる。第三積載部(13)に関し、ダブルオフセットレンチ(60)をここに定置付けする。全ての道具を該道具ケースに配置することに介し、車両の分解或は組み立ての点検修理時に便利である。
【００１０】
本考案の磁力台(20)が磁性ブロック(23)の外側に設置した滑り止めリング(22)は、磁性ブロック(23)がジャッキの立柱(30)に吸着している際、該滑り止めリング(22)は磁性ブロック(23)の吸着によって、形成された滑り止め面がやや変形をし、磁性ブロック(23)とあわせることで、立柱(30)にしっかりと密着し、磁性ブロック(23)が内外ともに対応して滑り止め力を具有することで、本考案の道具ケースが耐えうる積載重量を大幅に増やすことができ、公知技術のもののように安易に滑り落ちる問題が全くなく、自動車を点検修理する際の安定性が大きい。
【図面の簡単な説明】
【００１１】
【図１】本考案の立体外観図である。
【図２】本考案の部品立体分解図である。
【図３】本考案の別の角度から見た立体外観図である。
【図４】本考案の組み立て断面図である。
【図５】本考案のベストな実施例状態を示す断面図である。
【符号の説明】
【００１２】
10本体
11第一積載部
111台
112棒
12第二積載部
13第三積載部
20磁力台
21台座
211第一凹部
212第二凹部
213棒
22滑り止めリング
23磁性ブロック
30立柱
40筒
50  空気圧によって作動する道具
60  ダブルオフセットレンチ
【図１】
0003127283.tif 000003
【図２】
0003127283.tif 000004
【図３】
0003127283.tif 000005
【図４】
0003127283.tif 000006
【図５】
0003127283.tif 000007
【手続補正書】
【提出日】平成18年9月21日(2006.9.21)
【手続補正１】
【補正対象書類名】実用新案登録請求の範囲
【補正対象項目名】全文
【補正方法】変更
【補正の内容】
【実用新案登録請求の範囲】
【請求項１】
修理道具を収容する積載部を設けた本体、及び該本体を磁性支持面に吸着固定するための１以上の磁力台からなり、
該磁力台は、台座、磁性ブロック、滑り止めリングから構成され、
該台座は、中央をくり抜いて磁性ブロックを収納する凹部を形成すると共に本体と一体化してその背面より突出して設けられ、
該台座の凹部内に磁性ブロックを設置し、磁性ブロックによって形成する吸着面を台座の端よりやや突出して配置し、磁性ブロックの外周に滑り止めリングを設置して、該滑り止めリングによって形成する滑り止め面は磁性ブロックの吸着面よりやや突出するように配置した、
ことを特徴とする吸着式自動車点検修理道具ケース。
【請求項２】
前記台座内に等間隔に棒を設け、該棒と滑り止めリングとを固定して設けたことを特徴とする請求項１記載の吸着式自動車点検修理道具ケース。
【請求項３】
前記本体の上部に第一積載部、中間部に第二積載部、下部に第三積載部を設置したことを特徴とする請求項１記載の吸着式自動車点検修理道具ケース。
【請求項４】
前記第一積載部は、本体上部に水平に延伸する台及び、台上に等間隔に縦方向に設置された棒によって構成したことを特徴とする請求項3記載の吸着式自動車点検修理道具ケース。
【請求項５】
前記第二積載部は、本体正面の外側に水平に設置されたリング状構造に形成したことを特徴とする請求項3記載の吸着式自動車点検修理道具ケース。
【請求項６】
前記第三積載部は、本体の下部にU字型構造に構成したことを特徴とする請求項３記載の吸着式自動車点検修理道具ケース。
【請求項７】
前記磁性ブロックは、リング状を成すことを特徴とする請求項１記載の吸着式自動車点検修理道具ケース。
【請求項８】
前記台座は、同心円の第一凹部と、内直径が第一凹部より大きい第二凹部を設置し、該第一凹部の内側と対応してリング状の磁性ブロックを設置し、第二凹部と対応して滑り止めリングを設置したことを特徴とする請求項１記載の吸着式自動車点検修理道具ケース。